(57)【要約】【課題】  利用者が精通していない分野の情報を検索する際に、利用可能な情報や知識がどこに存在するのかを容易に把握できる情報検索支援装置を提供すること。【解決手段】  Ｗｅｂ上に存在する複数のサイトの構成を解析し、それぞれのサイトに含まれる情報の階層構造と存在場所を示す情報、タイトルを第１の記憶手段に登録する手段と、クライアントからの検索要求で指定された情報の存在場所が第１の記憶手段に登録されているかを判定し、当該情報が存在するサイトにおける論理的位置を階層構造のサイトマップで表示し、タイトルを日本語表記で表示するサイトマップ手段と、クライアントが過去に参照した情報の履歴を管理し、第２の記憶手段に記憶させる履歴管理手段と、クライアントが過去に参照した情報のサイト間の関係を示したグローバルマップを第２の記憶手段の記憶内容に基づいて作成し、グローバルマップを表示する手段とを備える。【選択図】      図１
2005092545.tif 000002
【特許請求の範囲】
【請求項１】
Ｗｅｂ上に公開された情報の検索を支援する情報検索支援装置において、
Ｗｅｂ上に存在する複数のサイトの構成を解析し、それぞれのサイトに含まれる情報の階層構造と存在場所を示す情報、タイトルを第１の記憶手段に登録する手段と、
クライアントからの検索要求に対し、該検索要求で指定された情報の存在場所が前記第１の記憶手段に登録されているかを判定し、登録されていたならば、当該情報が存在するサイトにおける当該情報の論理的位置を階層構造のサイトマップで表示し、タイトルを日本語表記で表示するサイトマップ手段と、
クライアントが過去に参照した情報の履歴を管理し、第２の記憶手段に記憶させる履歴管理手段と、
クライアントが過去に参照した情報のサイト間の関係を示したグローバルマップを前記第２の記憶手段の記憶内容に基づいて作成し、クライアントからの要求に応じてグローバルマップを表示するグローバルマップ手段と
を備えることを特徴とする情報検索支援装置。
【請求項２】
前記履歴管理手段は、クライアントが参照した情報の履歴を参照順序を明記して前記第２の記憶手段に記憶し、クライアントにおける情報取得要求に対し、過去に参照した情報の履歴を参照順序とリンク名を合わせて表示する手段を備えることを特徴とする請求項１に記載の情報検索支援装置。
【請求項３】
Ｗｅｂ上に公開された情報の検索を支援する情報検索支援プログラムにおいて、
Ｗｅｂ上に存在する複数のサイトの構成を解析し、それぞれのサイトに含まれる情報の階層構造と存在場所を示す情報、タイトルを第１の記憶手段に登録するステップと、
クライアントからの検索要求に対し、該検索要求で指定された情報の存在場所が前記第１の記憶手段に登録されているかを判定し、登録されていたならば、当該情報が存在するサイトにおける当該情報の論理的位置を階層構造のサイトマップで表示し、タイトルを日本語表記で表示するステップと、
クライアントが過去に参照した情報の履歴を管理し、第２の記憶手段に記憶させるステップと、
クライアントが過去に参照した情報のサイト間の関係を示したグローバルマップを前記第２の記憶手段の記憶内容に基づいて作成し、クライアントからの要求に応じてグローバルマップを表示するステップと
を備えることを特徴とする情報検索支援プログラム。
【発明の詳細な説明】
【技術分野】
【０００１】
本発明は、Ｗｅｂ上に公開された文書や知識等の情報を検索する際に、利用者が指定した情報が含まれるＷｅｂサイトの構成を示した地図と日本語で表現した論理的位置を提示する情報検索支援装置および情報検索支援プログラムに関するものである。
【背景技術】
【０００２】
従来、Ｗｅｂ上に公開された文書や知識等の情報を検索する情報検索支援装置として、例えば特開平９−２０４４３８号記載のものや、特開平１１−０４５２５７号公報に記載のものが知られている。
特開平９−２０４４３８号公報に記載のものは、膨大な情報断片の中にある任意の情報断片の論理的位置を示すようにしたものである。これは、ＷＷＷ（World Wide Web）などのドキュメントシステムに見られるハイパーテキスト状に関連付けられた情報断片の検索を行う際に、参照されたことのある情報断片と参照経路をグラフで示すようにしたものである。
特開平１１−０４５２５７号公報に記載のものは、Ｗｅｂ文書の分類作業に要する労力を軽減することのできる情報検索支援装置に関するものである。Ｗｅｂ文書とは、Ｗｅｂ上に公開された電子文書のことである。これは、予め設定した分類項目に従って収集したＷｅｂ文書を自動的に分類して管理し、Ｗｅｂクライアントの要求に応じて前記分類項目を提示すると共に、前記Ｗｅｂクライアントで選択された分類項目に該当するＷｅｂ文書の一覧を提示するようにしたものである。
【特許文献１】特開平１１−０４５２５７号公報
【特許文献２】特開平９−２０４４３８号公報
【発明の開示】
【発明が解決しようとする課題】
【０００３】
しかしながら、特開平９−２０４４３８号公報に記載のものは、ハイパーリンク状に関連付けられた情報断片の論理的位置を特定する手段と参照順序を指し示す手段については述べられているが、利用者に本意の情報（参照しようとしている情報）がどのような知識体系に含まれるものなのかを提示する手段については述べられていない。そのため、所望の情報に辿り着くまでには、参照しようとしている情報に関連する分野に関する知識体系がどのように構成されているかを予め把握しておくといった、熟練による蓄積された知識が利用者に要求され、知識体系を知らない場合には本意の情報に容易に辿り着くことができないという問題がある。
また、特開平１１−０４５２５７号公報に記載のものは、分類作業に要する労力を軽減する手段については述べられているが、そもそも文書がＷｅｂサイトでどのような論理的位置付けのものかという情報を提供する手段については、述べられていない。
本発明の目的は、Ｗｅｂ上に公開された情報を検索する際に、利用者が指定した情報が含まれるＷｅｂサイトの構成を示した地図と日本語で表現した論理的位置を提示し、利用者が精通していない分野であっても容易に目的とする情報を参照可能にする情報検索支援装置及び情報検索支援プログラムを提供することにある。
【課題を解決するための手段】
【０００４】
上記目的を達成するために、本発明に係る情報検索支援装置は、Ｗｅｂ上に公開された情報の検索を支援する情報検索支援装置において、Ｗｅｂ上に存在する複数のサイトの構成を解析し、それぞれのサイトに含まれる情報の階層構造と存在場所を示す情報、タイトルを第１の記憶手段に登録する手段と、クライアントからの検索要求に対し、該検索要求で指定された情報の存在場所が前記第１の記憶手段に登録されているかを判定し、登録されていたならば、当該情報が存在するサイトにおける当該情報の論理的位置を階層構造のサイトマップで表示し、タイトルを日本語表記で表示するサイトマップ手段と、クライアントが過去に参照した情報の履歴を管理し、第２の記憶手段に記憶させる履歴管理手段と、クライアントが過去に参照した情報のサイト間の関係を示したグローバルマップを前記第２の記憶手段の記憶内容に基づいて作成し、クライアントからの要求に応じてグローバルマップを表示するグローバルマップ手段とを備えることを特徴とする。
また、前記履歴管理手段は、クライアントが参照した情報の履歴を参照順序を明記して前記第２の記憶手段に記憶し、クライアントにおける情報取得要求に対し、過去に参照した情報の履歴を参照順序とリンク名を合わせて表示する手段を備えることを特徴とする。
【０００５】
本発明に係る情報検索支援プログラムは、Ｗｅｂ上に存在する複数のサイトの構成を解析し、それぞれのサイトに含まれる情報の階層構造と存在場所を示す情報、タイトルを第１の記憶手段に登録するステップと、クライアントからの検索要求に対し、該検索要求で指定された情報の存在場所が前記第１の記憶手段に登録されているかを判定し、登録されていたならば、当該情報が存在するサイトにおける当該情報の論理的位置を階層構造のサイトマップで表示し、タイトルを日本語表記で表示するステップと、クライアントが過去に参照した情報の履歴を管理し、第２の記憶手段に記憶させるステップと、クライアントが過去に参照した情報のサイト間の関係を示したグローバルマップを前記第２の記憶手段の記憶内容に基づいて作成し、クライアントからの要求に応じてグローバルマップを表示するステップとを備えることを特徴とする。
【発明の効果】
【０００６】
本発明によれば、Ｗｅｂ上に公開された情報を検索する際に、利用者が指定した情報が含まれるＷｅｂサイトの構成を示した地図と日本語で表現した論理的位置を提示するため、利用者が精通していない知識体系の分野であっても容易に目的とする情報が何処のサイトに存在するかを把握し、迅速に目的とする情報を参照することが可能になる。
【発明を実施するための最良の形態】
【０００７】
以下、本発明の一実施形態について図面により説明する。
図１は、本発明の実施の一形態である情報検索支援装置を含むネットワーク構成の概要を示すネットワーク構成図である。
図１に示すシステムにおいて、複数のサーバ１０１が存在し、これら複数のサーバ１０１は、サーバ１０２およびクライアント１０４とインターネット１０３を通して接続されている。
サーバ１０１には、ＷＷＷサーバ１０５とＷｅｂ文書１０６が配置されており、ＷＷＷのドキュメントシステムを構成している。サーバ１０２には、本発明の実施の一形態である情報検索支援装置のサーバ部１０７が配置されている。クライアント１０４には、ブラウザ等のＷＷＷクライアント１０８と本発明の実施の一形態である情報検索支援装置のクライアント部１０９が配置されている。
ＷＷＷ（World Wide Web）とは、インターネットにおいて標準で用いられているドキュメントシステムである。インターネット上に点在するＷＷＷサーバは電子文書（情報）を公開し、利用者が使用するコンピュータはＷＷＷクライアントとしてこのサーバに接続し、ＷＷＷブラウザと呼ばれるアプリケーションを使って内容を表示する。ＷＷＷにおけるドキュメントは、主にＨＴＭＬ（Hyper Text Markup Language）という言語で記述されている。ＨＴＭＬによって記述された電子文書は、ハイパーテキスト構造を取り、文書間にリンクを設定し、文書内に画像や動画、音声といった様々なコンテンツを表示させることが可能となっている。このリンク機能により、Ｗｅｂ文書は、相互に連結することができ、１つのページを起点にリンクを辿っていくことによって、ＷＷＷ上に公開された関連する電子文書を区別なく閲覧していくことが可能となっている。
インターネット上で、ファイルの位置を指定する為の記述形式、もしくは、それによって記述されたアドレスそのものをＵＲＬ（Uniform Resource Locator）と呼ぶ。ＷＷＷブラウザでは、このＵＲＬをアドレスとして入力することで、目的の電子文書が表示される。
ＷＷＷ上の情報検索装置は、検索条件を入力することにより、装置に登録されているＷｅｂ文書の中から、条件に一致するものを一覧表示するサービスを提供しているものである。主な機能にキーワード検索と呼ばれる検索手段がある。これは、検索条件として入力された単語を含むＷｅｂ文書の一覧を表示するものである。単語を複数入力することによって一致する範囲を狭め、本意の情報を含むＷｅｂ文書を検索する使用方法が一般的である。利用者は、検索結果として表示されたＷｅｂ文書の一覧から、本意の情報が含まれていると思われるものを選択していくことによって、情報を検索する。
【０００８】
図２は、本発明の実施の一形態である情報検索支援装置の概要を示すブロック図である。本発明の実施の一形態である情報検索支援装置は、図２に示すように、サーバ部１０７とクライアント部１０９とから構成される。
サーバ部１０７は、サイト登録部２０１と、サイト検索部２０２と、サイト構成解析部２０３と、サイト情報提供部２０４と、通信部２０５と、日本語辞書２０６とサイト記憶部２０７とからなっている。
クライアント部１０９は、アクション監視部２１０と、履歴管理部２１１と、表示部２１２と、通信部２１６と、マップ記憶部２１７と履歴記憶部２１８とからなっている。表示部２１２は、グローバルマップ表示部２１３と、サイトマップ表示部２１４と、履歴表示部２１５とからなっている。
【０００９】
図３は、本発明の実施の一形態である情報検索支援装置の記憶部として用いるデータベースのテーブル構成を示す説明図である。
情報検索支援装置サーバ部１０７のサイト記憶部２０７には、Ｗｅｂ文書登録テーブル３０１と、サイト登録テーブル３１１が登録されている。
Ｗｅｂ文書登録テーブル３０１には、Ｗｅｂ文書のＵＲＬ、タイトル、更新日時、サイトのトップページＵＲＬ、サイト階層、日本語タイトルが設定されている。
サイト登録テーブル３０２には、サイトＵＲＬ、サイト名、サイト構成、リンク先ＵＲＬ、タイトル、日本語タイトル、コメントが設定されている。
情報検索支援装置クライアント部１０８の履歴記憶部２１７には、履歴管理テーブル３０３が登録されている。履歴管理テーブル３０３には、クライアント１０７の利用者が過去に参照したＷｅｂ文書のインデックス、リンク名、ＵＲＬ、タイトルが設定されている。
また、情報検索支援装置クライアント部１０８のマップ記憶部２１８には、マップ記憶テーブル３０４が登録されている。マップ記憶テーブル３０４には、ホルダーＩＤ、ホルダーの表記文字、サイト名、サイトのトップページのＵＲＬ、タイトル、日本語ドメイン、サイトマップが設定されている。
【００１０】
図４はおよび図５は、クライアント１０４の情報検索支援画面の一例を示す図である。
図６は図４及び図５の情報検索支援画面におけるグローバルマップ表示機能を示す説明図、図７は図４及び図５の情報検索支援画面におけるサイトマップ表示機能を示す説明図である。
クライアント１０４の情報検索支援画面４０１は、大別すると、図４及び図５に示すように、履歴表示領域４０４と、グローバルマップ表示領域４０５と、サイトマップ表示領域４０６とで構成されている。クライアント１０４のＷＷＷブラウザでＷｅｂ文書１０６の内容を表示した際には、情報検索装置画面４０１のアドレス表示領域４０２にＷｅｂ文書１０６のＵＲＬアドレスが表示され、日本語ドメイン表示領域４０３にＷｅｂ文書１０６のサイト内での論理的位置をパン屑リスト（Ａ＞Ｂ＞..＞）で表現したものが表示され、履歴表示領域４０４に選択したＷｅｂ文書について試験情報、品質情報などのタイトル４０７と「次へ」、「品質」などのリンク名４０８が表示される。
グローバルマップ表示領域４０５には、グローバルマップが表示され、サイトマップ表示領域４０６にサイトマップが表示される。パン屑リスト４０３とは、インターネット上でそれぞれのサイトの基準であるトップページからの位置付けを＞記号で区切り、階層構造でサイト内の所在地を示す表記法である。このパン屑リストはＵＲＬとは必ずしも一致しない。枝となるＷｅｂ文書は、ページのタイトルで表記され、ＵＲＬがリンク先として表示される。
【００１１】
グローバルマップ表示領域４０５には、グローバルマップが表示される。グローバルマップとは、図６の拡大図に示すように、複数個のＷｅｂサイト間の関係を円形に並んだ複数個（図６では１２個）のホルダー５０２で示したものである。それぞれのホルダー５０２には、生産管理フォーラム、「原価屋」ポータルなどのサイト情報５０３が表示されている。各ホルダー５０２をポインティングデバイス（マウス）によって左クリックすることにより、サイトマップ表示領域４０６に、各Ｗｅｂサイトのサイトマップが表示される。
図４では、生産管理フォーラムのＷｅｂサイトのホルダーを選択した場合に、当該サイトを構成する文書の論理的位置関係がサイトマップ表示領域４０６に表示されていることを示している。
図５では、原価屋ポータルのＷｅｂサイトのホルダーを選択した場合に、当該サイトを構成する文書の論理的位置関係がサイトマップ表示領域４０６に表示されていることを示している。
【００１２】
図６のグローバルマップの表示状態においては、それぞれのホルダー５０２をマウス右クリック操作すると、図示するようなダイアログ５０４が表示される。このダイアログ５０４により、ホルダーの削除、移動等のメンテナンスが行える。現在選択中のサイトは、例えば青色に着色され、サイトマップ表示領域４０６にサイトマップが表示される。
サイトマップ表示領域４０６には、図７の拡大図に示すようなサイトマップが表示される。サイトマップとは、個々のＷｅｂ文書を示すアイコン６０２とコネクタ６０１を用いた樹構造で、サイトのハイパーリンク構造を図示したものである。同じサイト内へのリンクが存在している場合、コネクタの形が＋記号で表示され、存在しない場合は、−記号で表示される。アイコン６０２の右隣には、Ｗｅｂ文書のタイトル６０３が表示される。現在表示中のＷｅｂドキュメントは、アイコンが例えば青色に着色され、他サイトへのリンクは、例えば紫色で表示される。この際とマップにおいても、マウスの右クリック操作で表示されるダイアログ６０４により、選択されたＷｅｂ文書をＷＷＷブラウザで閲覧すること、サイトのトップページとしてホルダーに設定すること等のメンテナンスが行える。
【００１３】
図８は、クライアント部１０９における履歴管理部２１１の履歴管理機能を示す説明図である。図９は、クライアント部１０９における履歴管理機能の処理の流れを示すフローチャートである。
以下、図２の各部の動作を図８の説明図と図９のフローチャートに従って説明する。
まず、ＷＷＷクライアント（Ｗｅｂブラウザ）１０８に表示されたＷｅｂ文書上で、リンクがクリックされると、クライアント部１０９のアクション監視部２１０は発生したアクションを捕捉する（ステップ９０１）。
続く、ステップ９０２において、発生したアクションで画面遷移を実行するのかを判定する。画面遷移をしない場合、ステップ９０３において、画面遷移先がフレームかどうかを判定する。フレームではない場合、ステップ９０４において、新しいウィンドゥを開くかどうかを判定する。新しいウィンドウも開かない場合、処理を終了する。
判定結果のＹｅｓの場合は画面遷移を行う。画面遷移先がフレームである、新しいウィンドゥを開くであった場合、履歴管理部２１１はステップ９０５において、アクションが発生したＷＷＷクライアント（Ｗｅｂブラウザ）１０８からリンク名を取得する。そして次のステップ９０６において、画面遷移先のＵＲＬを取得する。
【００１４】
次に、ステップ９０７において、画面遷移に成功したか判定する。判定結果がＹｅｓであれば、ステップ９０８において、遷移先のＷｅｂ文書１０６のタイトルを取得する。そして、ステップ９０９において、履歴記憶部２１８の履歴管理テーブル３０３に取得したリンク名とＵＲＬとタイトルを登録する。この場合、履歴管理部２１１は、参照したＷｅｂ文書の履歴を参照順序を明記して履歴管理テーブル３０３を保存する。ユーザはＷｅｂ文書の取得を要求した場合、参照順序とリンク名を合わせて表示させる。図４の例では、「原価屋」サイトの参照順位に「１」が付記され、最も古い参照順位であることが示されている。そして、リンク名として「メイン」が表示されている。
【００１５】
図１０はサーバ部１０７におけるサイト構成解析部２０３のサイト解析機能を示す説明図である。図１１はサイト構成解析部２０３のサイト解析機能による処理の流れを示すフローチャートである。
以下、図２の各部の動作を図１０の説明図と図１１のフローチャートに従って説明する。
まず、ステップ１１０１において、事前に、サーバ部１０７のサイト登録部２０１にサイトのＵＲＬとサイト名を登録する。一定時間おきに、サイト検索部２０２が、ステップ１１０２において、複数のサイトのそれぞれのトップページから、各サイトの階層構造に含まれる個々のＷｅｂ文書へのリンクにつき１つずつ、ステップ１１０４の全ての電子文書を辿るまで、ステップ１１０３において各リンクのリンク名とリンク先ＵＲＬを全て抽出する。
ここで、ステップ１１０１で登録するサイトのＵＲＬとサイト名は、Ｗｅｂ上に存在する全てのサイトに関するものである。
【００１６】
この後、ステップ１１０５において、サイト構成解析部２０３が、上記で登録されたサイトのトップページから当該サイトの階層構造に含まれる個々のＷｅｂ文書について１つずつ、全ての電子文書を辿るまで実行する（ステップ１１０６〜１１１３）。すなわち、１つのサイトについて、ステップ１１０７において、参照しているＷｅｂ文書のタイトルを取得する。ステップ１１０８において、親サイトのパン屑リストを取得する。ステップ１１０９において、ページのタイトルが日本語の全角文字列か判定する。判定結果がＹｅｓであれば、ステップ１１１０において、親サイトのパン屑リストの末尾に＞記号を加え、さらに参照しているＷｅｂ文書のタイトルを加えて当該サイトのパン屑リストを作成する。ステップ１００９の判定結果がＮｏであれば、ステップ１１１１において、当該サイトのタイトルを、日本語辞書２０６を使用して、日本語の全角文字列に変換し、親サイトのパン屑リストの末尾に＞記号を加え、変換したタイトルを加えて当該サイトのパン屑リストを作成する。最後に、ステップ１１１２においてサイト記憶部２０７のＷｅｂ文書登録テーブル３０１に解析したサイトの情報を登録する。
【００１７】
図１２は、クライアント部１０９における表示部２１２のマップ表示機能を示す説明図である。図１３は、サーバ部１０７におけるマップ表示機能の処理の流れを示すフローチャートである。図１４はクライアント部１０９におけるマップ表示機能の処理の流れを示すフローチャート図である。
以下、図２のサーバ部の動作を図１２の説明図と、図１３、図１４のフローチャートに従って説明する。
サーバ部１０７における通信部２０５がクライアント部１０９からリクエストを送信された際に、ステップ１３０１において、送信されたメッセージからＵＲＬを取得する。サイト情報提供部２０４は、ステップ１３０２において、取得されたＵＲＬが含まれるサイトをサイト記憶部２０７のＷｅｂ文書登録テーブル３０１から検索する。
ステップ１３０３において、サイト情報提供部２０４はクライアント部１０９が要求したＵＲＬのＷｅｂ文書のサイトが登録されているか判定し、判定結果がＹｅｓの場合、ステップ１３０４において、Ｗｅｂ文書登録テーブル３０１から検索したＷｅｂ文書の情報から、クライアント部１０９から受信したＵＲＬが含まれるサイトのトップページＵＲＬを取得する。続くステップ１３０５において、サイト記憶部の２０７のサイト登録テーブル３０２から、サイト名、サイト構成、リンク先ＵＲＬ、タイトル、日本語タイトル、コメントのデータを取得する。
ステップ１３０６において、サイトのサイト構成を読み込み、クライアント部１０９の通信部２１６に対しサイト構成の情報１１０１を送信する。
ステップ１３０３において、判定結果がＮｏの場合、すなわち、クライアント部１９が指定したサイトが存在しないとを示すエラーメッセージをクライアント部１０９の通信部２１６に送信する。
【００１８】
次に、クライアント部１０９の動作を図１４のフローチャートに従って説明する。
クライアント部１０９の表示部２１２は、ステップ１４０１において、履歴表示領域４０４で選択されたＷｅｂ文書４０９のＵＲＬを取得する。続くステップ１４０２において、取得したＵＲＬが含まれるサイト構成が既にサーバ部１０７から取得済みかをキャッシュメモリの内容を参照して判定する。判定結果がＮｏ（未読）であれば、ステップ１４０４において、クライアント部１０９の通信部２１６がサーバ部１０７の通信部２０５にＵＲＬを送信してサイト構成を受信する。その後、マップ記憶部２１７のマップ記憶テーブル３０４に保存する。
ステップ１４０２の判定結果がＹｅｓ（読み込み済み）であれば、ステップ１４０５において、キャッシュメモリからサイト構成を読み込む。次に、ステップ１４０６において、グローバルマップエリア４０５にグローバルマップを表示する。そして、ステップ１４０７において、グローバルマップのうち、参照されているＷｅｂ文書が含まれているホルダー５０２を着色する。次のステップ１４０７において、サイト構成をサイトマップ表示領域４０６に表示する。次のステップ１４０８において、サイトマップで参照されているＷｅｂ文書を示すアイコンを着色する。最後にステップ１４１０において、参照されているＵＲＬと日本語ドメインをアドレス表示領域４０２、日本語ドメイン表示領域４０３に表示する。
【図面の簡単な説明】
【００１９】
【図１】本発明の一実施形態例である情報検索支援装置を含むネットワーク構成を示すネットワーク構成図である。
【図２】本発明に係る情報検索支援装置の構成を示すブロック図である。
【図３】図２のサイト記憶部、マップ記憶部、履歴記憶部の登録データの構成を示す図である。
【図４】クライアント部における情報検索支援画面の一例を示す図である。
【図５】クライアント部における情報検索支援画面の他の例を示す図である。
【図６】クライアント部におけるグローバルマップ表示領域の詳細を示す図である。
【図７】クライアント部におけるサイトマップ表示領域の詳細を示す図である。
【図８】クライアント部における履歴管理機能の概要を示す説明図である。
【図９】クライアント部における履歴管理機能の処理の流れを示すフローチャートである。
【図１０】サーバ部におけるサイト解析機能の概要を示す説明図である。
【図１１】サーバ部におけるサイト解析機能の処理の流れを示すフローチャートである。
【図１２】マップ表示機能の概要を示す説明図である。
【図１３】サーバ部におけるマップ表示機能の処理の流れを示すフローチャートである。
【図１４】クライアント部におけるマップ表示機能の処理の流れを示すフローチャートである。
【符号の説明】
【００２０】
１０１    サーバ
１０３    インターネット
１０４    クライアント
１０５    ＷＷＷサーバ
１０６    Ｗｅｂ文書
１０７    情報検索支援装置のサーバ部
１０８    ＷＷＷクライアント
１０９    情報検索支援装置のクライアント部
２０１    サイト登録部
２０２    サイト検索部
２０３    サイト構成解析部
２０４    サイト情報提供部
２０６    日本語辞書
２０７    サイト記憶部
２１０    アクション監視部
２１１    履歴管理部
２１３    グローバルマップ表示部
２１４    サイトマップ表示部
２１５    履歴表示部
２１７    マップ記憶部
２１８    履歴記憶部
３０１    Ｗｅｂ文書登録テーブル
３０２    サイト登録テーブル
３０３    履歴管理テーブル
３０４    マップ記憶テーブル
４０３    日本語ドメイン表示領域
４０４    履歴表示領域
４０５    グローバルマップ表示領域
４０６    サイトマップ表示領域
【図１】
2005092545.tif 000003
【図２】
2005092545.tif 000004
【図３】
2005092545.tif 000005
【図４】
2005092545.tif 000006
【図５】
2005092545.tif 000007
【図６】
2005092545.tif 000008
【図７】
2005092545.tif 000009
【図８】
2005092545.tif 000010
【図９】
2005092545.tif 000011
【図１０】
2005092545.tif 000012
【図１１】
2005092545.tif 000013
【図１２】
2005092545.tif 000014
【図１３】
2005092545.tif 000015
【図１４】
2005092545.tif 000016